(57)【要約】【課題】通常の映像の表示中にデモ映像表示を任意のタイミングで切り替え、終了後には、通常の映像に切り替える。【解決手段】接触することで所定の機能についてデモ映像の表示に対応するスイッチを入力する入力手段と、前記入力手段による入力に応じて、対応する前記デモ映像の表示を指示するデモ表示情報を送信する送信手段と、前記送信手段で送信された前記デモ表示情報を受信する受信手段と、前記受信手段で前記デモ表示情報を受信した場合、前記デモ表示情報に対応するデモ映像を取得する取得制御手段と、前記取得制御手段で取得した前記デモ映像を再生表示する表示手段と、前記デモ映像の再生終了に基づいて、通常表示に切り替える再生制御手段とを有する。【選択図】      図７
2009224856.tif 000002
【特許請求の範囲】
【請求項１】
接触することで所定の機能についてデモ映像の表示に対応するスイッチを入力する入力手段と、
前記入力手段による入力に応じて、対応する前記デモ映像の表示を指示するデモ表示情報を送信する送信手段と
前記送信手段で送信された前記デモ表示情報を受信する受信手段と、
前記受信手段で前記デモ表示情報を受信した場合、前記デモ表示情報に対応するデモ映像を取得する取得制御手段と、
前記取得制御手段で取得した前記デモ映像を再生表示する表示手段と、
前記デモ映像の再生終了に基づいて、通常表示に切り替える再生制御手段と、
を有することを特徴とするデモ映像表示システム。
【請求項２】
前記取得制御手段は、ＨＤＭＩ−ＣＥＣリンク機能により外部機器から前記デモ映像を取得することを特徴とする請求項１記載のデモ映像表示システム。
【請求項３】
前記入力手段は、前記送信手段による前記デモ表示情報の送信に基づいて、発光することを特徴とする請求項１記載のデモ映像表示システム。
【請求項４】
前記送信手段による前記デモ表示情報の送信に基づいて、前記デモ映像が再生される旨を示す音を出力する音声出力手段をさらに有することを特徴とする請求項１記載のデモ映像表示システム。
【請求項５】
入力されたデモ映像の表示を指示するデモ表示情報を受信する受信手段と、
前記受信手段で前記デモ表示情報を受信した場合、前記デモ表示情報に対応するデモ映像を取得する取得制御手段と、
前記取得制御手段で取得した前記デモ映像を再生表示する表示手段と、
前記デモ映像の再生終了に基づいて、通常表示に切り替える再生制御手段と、
を有することを特徴とするテレビジョン放送受信装置。
【請求項６】
入力されたデモ映像の表示を指示するデモ表示情報を受信し、
受信したデモ表示情報の受信に基づいて、前記デモ表示情報に対応するデモ映像を取得し、
取得した前記デモ映像を再生表示し、
前記デモ映像の再生終了に基づいて、通常表示に切り替える
ことを特徴とするデモ映像表示方法。
【発明の詳細な説明】
【技術分野】
【０００１】
この発明は、テレビジョン放送受信装置及びデモ映像表示方法及びデモ映像表示システムに関するもので、特に店頭のテレビジョン放送受信装置におけるデモ映像の表示機能を改良したものである。
【背景技術】
【０００２】
近年、テレビジョン放送受信装置の高機能化に伴い、多岐に渡る操作が可能となっている。消費者は、多くの種類の中から、所望の機能、用途等に合わせてテレビジョン放送受信装置を選択する必要がある。そのため、テレビジョン放送受信装置の販売店では、接客店員が顧客に商品の機能説明を行うことで機能の訴求をし、販売の促進をしてきた。
【０００３】
しかしながら、各販売店における接客店員の数には限りがあるため、来店する多くの客に対応することができず、店員は、十分にテレビジョン放送受信装置の機能の訴求を消費者に対してできなかった。
【０００４】
また、接客する店員なしでもテレビジョン放送受信装置の機能の訴求できるように、店頭デモモードをテレビジョン放送受信装置に搭載するものも普及しつつある。
【０００５】
特許文献１には、予め設定されている複数のデモンストレーションモードからユーザが必要とする機能についてのデモンストレーションモードの選択に基づいて、画面上に表示する構成が開示されている。
【０００６】
特許文献２には、通常使用の通常モードとデモンストレーション用のデモモードとを備えて家庭電化機器において、通常モードに投入する投入操作とデモモードを解除して通常モードに戻す解除操作を異なる操作により行い、解除操作を行わなければ、デモモードが解除されない構成が開示されている。
【特許文献１】特開２００７−８１６００公報
【特許文献２】特開２００４−３３３０７９公報
【発明の開示】
【発明が解決しようとする課題】
【０００７】
しかしながら、特許文献１および特許文献２では、利用者が、複雑なボタン操作をすることなく、単にボタンを押下するのみでデモンストレーションが開始し、デモンストレーションの終了後、通常動作に戻る構成は開示されていない。つまり、特許文献１では、店頭デモモードを搭載するテレビジョン放送受信装置では、画面表示やデモコンテンツの再生など、常に一定のデモ動作を行うのみで、画質の確認や、他の機能については確認することができないなどの問題がある。
【０００８】
そこでこの発明では、通常の映像表示とデモ映像表示とを任意のタイミングで切り替えることができるテレビジョン放送受信装置及びデモ映像表示方法及びデモ映像表示システムを提供することにある。
【課題を解決するための手段】
【０００９】
この発明の一実施形態に係るデモ映像表示システムは、接触することで所定の機能についてデモ映像の表示に対応するスイッチを入力する入力手段と、前記入力手段による入力に応じて、対応する前記デモ映像の表示を指示するデモ表示情報を送信する送信手段と、前記送信手段で送信された前記デモ表示情報を受信する受信手段と、前記受信手段で前記デモ表示情報を受信した場合、前記デモ表示情報に対応するデモ映像を取得する取得制御手段と、前記取得制御手段で取得した前記デモ映像を再生表示する表示手段と、前記デモ映像の再生終了に基づいて、通常表示に切り替える再生制御手段とを有する。
【００１０】
また、この発明の一実施形態に係るテレビジョン放送受信装置は、入力されたデモ映像の表示を指示するデモ表示情報を受信する受信手段と、前記受信手段で前記デモ表示情報を受信した場合、前記デモ表示情報に対応するデモ映像を取得する取得制御手段と、前記取得制御手段で取得した前記デモ映像を再生表示する表示手段と、前記デモ映像の再生終了に基づいて、通常表示に切り替える再生制御手段と、を有する。
【００１１】
また、この発明の一実施形態に係るデモ映像表示方法は、入力されたデモ映像の表示を指示するデモ表示情報を受信し、受信したデモ表示情報の受信に基づいて、前記デモ表示情報に対応するデモ映像を取得し、取得した前記デモ映像を再生表示し、前記デモ映像の再生終了に基づいて、通常表示に切り替える。
【発明の効果】
【００１２】
消費者は、任意のタイミングでテレビジョン放送受信装置に対して興味のあるデモモードを選択できる。また、デモコンテンツはテレビジョン放送受信装置の通常機能（例えばＨＤＤ）の中に保存されているため、店頭デモモード用にテレビジョン放送受信装置を作成する必要がなくなる。また、デモモードが終了すると、通常モードに戻るため、ユーザは、デモモードで確認した機能を直後に通常モードで試すことができる。したがって、テレビジョン放送受信装置の機能の訴求と理解に効果的である。
【発明を実施するための最良の形態】
【００１３】
以下、図面を参照しながらこの発明の実施の形態を説明する。まずこの発明が適用された放送受信装置について概要を説明する。
【００１４】
図１は、この実施の形態で説明するデジタルテレビジョン放送受信装置１１の外観と、このデジタルテレビジョン放送受信装置１１を中心として構成されるネットワークシステムの一例を概略的に示している。図２は、この実施の形態で説明するデジタルテレビジョン放送受信装置１１の外観を示している。
【００１５】
デジタルテレビジョン放送受信装置１１は、薄型のキャビネット１２と、このキャビネット１２を起立させて支持する支持台１３とから構成されている。キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１６】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１７】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１８】
また、このデジタルテレビジョン放送受信装置１１は、ＬＡＮ（Local Area Network）端子２１、第２のＬＡＮ端子２２、ＵＳＢ（Universal Serial Bus）端子２３及びｉ．Link端子２４、ＨＤＭＩ（high definition multimedia interface）端子４３を備えている。
【００１９】
このうち、第１のＬＡＮ端子２１は、ＬＡＮ対応ＨＤＤ専用ポートとして使用される。この第１のＬＡＮ端子２１に接続されたＮＡＳ（Network Attached Storage）であるＬＡＮ対応のＨＤＤ２５に対して、イーサネット（登録商標）により情報の記録再生を行なうために使用される。
【００２０】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００２１】
また、第２のＬＡＮ端子２２は、イーサネットを用いた一般的なＬＡＮ対応ポートとして使用される。この第２のＬＡＮ端子２２は、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２２】
なお、ＤＶＤレコーダ２９については、第２のＬＡＮ端子２２を介して通信されるデジタル情報が制御系の情報であるため、デジタルテレビジョン放送受信装置１１との間でアナログの映像及び音声情報を伝送するために、専用のアナログ伝送路３０を設ける必要がある。
【００２３】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２４】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２５】
上記ｉ．Link（登録商標）端子２４は、例えばＡＶ−ＨＤＤ４１、Ｄ（Digital）−ＶＨＳ（Video Home System）４２等をシリアル接続し、これらの機器と情報伝送を行なうために使用される。
【００２６】
ここでｉ．Link端子２４に接続された、ＡＶ−ＨＤＤ４１は、図面ではデジタルテレビジョン放送受信装置１１の外に記載されているが、支持台１３に内蔵されている場合であっても、同様の効果を生じる。つまりＡＶ−ＨＤＤ４１は、デジタルテレビジョン放送受信装置１１と一体となっているものであってもよい。
【００２７】
ＨＤＭＩ端子４３は、例えばＨＤＭＩ端子を有したＨＤＤ内臓のＤＶＤレコーダ７１を接続し、この機器と情報伝送を行なうために使用される。ＨＤＭＩ端子４３は、ＨＤＭＩ規格に準拠した形態で外部機器と情報伝送するものである。
【００２８】
図３は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２９】
チューナ４５で選局された放送信号は、ＰＳＫ（Phase Shift Keying）復調器４６に供給されて、デジタルの映像信号及び音声信号に復調された後、信号処理部４７に出力される。
【００３０】
また地上波アナログ信号を受信するアナログチューナ６８も設けられている。アナログチューナ６８で受信された信号は、アナログ復調器６９で復調され信号処理部４７に出力される。
【００３１】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００３２】
チューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００３３】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００３４】
このうち、グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００３５】
グラフィック処理部５２から出力されたデジタルの映像信号は、映像処理部５５に供給される。この映像処理部５５は、入力されたデジタルの映像信号を、映像表示器１４で表示可能なフォーマットのアナログ映像信号に変換し、映像表示器１４に出力して映像表示させる。
【００３６】
上記音声処理部５３は、入力されたデジタルの音声信号を、スピーカ１５で再生可能なフォーマットのアナログ音声信号に変換し、スピーカ１５に出力して音声再生させる。
【００３７】
ここで、このデジタルテレビジョン放送受信装置１１は、上記した各種の受信動作を含むその全ての動作を制御部５６によって統括的に制御されている。
【００３８】
制御部５６は、ＣＰＵ（Central Processing Unit）等を内蔵している。操作部１６からの操作情報を受けたとき、または、リモートコントローラ１７から送出された操作情報を受光部１８を介して受信したとき、制御部５６は、その操作内容が装置に反映されるように各部をそれぞれ制御している。
【００３９】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００４０】
制御部５６は、カードＩ／Ｆ（Interface）６０を介して、第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００４１】
制御部５６は、カードＩ／Ｆ６２を介して、第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００４２】
制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４３】
制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。
【００４４】
制御部５６は、ＵＳＢ Ｉ／Ｆ６６を介してＵＳＢ端子２３に接続されている。これにより、制御部５６は、ＵＳＢ端子２３に接続された各機器（図１参照）と、ＵＳＢ Ｉ／Ｆ６６を介して情報伝送を行なうことができる。
【００４５】
上記制御部５６は、ｉ．Link（登録商標） Ｉ／Ｆ６７を介してｉ．Link（登録商標）端子２４に接続されている。これにより、制御部５６は、ｉ．Link（登録商標）端子２４に接続された各機器（図１参照）と、ｉ．Link（登録商標）Ｉ／Ｆ６７を介して情報伝送を行なうことができる。
【００４６】
制御部５６は、ＨＤＭＩＩ／Ｆ７２を介してＨＤＭＩ端子７０に接続されている。これにより、制御部５６は、ＨＤＭＩ端子７０に接続されたＤＶＤレコーダ７１と、ＨＤＭＩＩ／Ｆ６５を介して情報伝送を行なうことができる。
【００４７】
ＣＥＣ（consumer electronics control）対応のＤＶＤレコーダ７１は、ＨＤＭＩ−ＣＥＣリンク機能を利用して、情報通信端末１１に対してユーザがリモートコントローラ１７またはポップ用リモートコントローラ１７９０で操作することで、ＣＥＣ対応の外部機器であるＤＶＤレコーダ７１を連動操作することができる。
【００４８】
制御部５６は、取得制御部５６ａと表示制御部５６ｂを有する。取得制御部５６ａは、後述するデモ映像の取得を制御する。表示制御部５６ｂは、後述する映像表示器１４に表示するデモ映像の再生制御をする。
【００４９】
図４は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、リンクキー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。また今すぐニュースキー１７ｑ、ちょっとタイムキー１７ｑ、スキップキー１７ｒも設けられている。
【００５０】
図５および図６は、本発明の実施形態に係るデモ映像表示システムを示している。図５は、デモ映像表示システムを構成する販売促進物（以下ポップと称す）のボタンの外観を示す図である。図６は、デモ映像表示システムを構成するポップに実装されているポップ用リモートコントローラ８０を示すブロック図である。
【００５１】
図５に示すようなポップは、デジタルテレビジョン放送受信装置１１の販売店において、デジタルテレビジョン放送受信装置１１が展示されている箇所の近くに設けられている。例えば、デジタルテレビジョン放送受信装置１１の近傍かつ消費者がポップ８０を認識しやすい目線の高さ等の位置に設けられている。ポップ８０には、第１のボタン８１と第２のボタン８２が設けられている。
【００５２】
第１のボタン８１の付近には、第１のボタン８１を押すと、「なめらかな動きと自然な色を再現」可能となった映像を表現したデモ映像をデジタルテレビジョン放送受信装置１１に表示する旨が記載されている。また、第２のボタン８２の付近には、第２のボタン８２を押すと、「新聞のテレビ欄のように見やすい」映像を表現したデモ映像をデジタルテレビジョン放送受信装置１１に表示する旨が記載されている。つまり、デモ映像は、新製品としてデジタルテレビジョン放送受信装置１１に搭載された機能、ここでは、特定の表示をした場合の画面の表示の鮮明さなどについてである。ポップ８０に設けられるボタンは、対応するデモ映像の数に応じて複数設けることができる。ここではポップ８０に第１のボタン８１と第２のボタン８２が設けられている例について説明するが、ポップ８０はボタンに代えてタッチセンサーが設けられていてもよい。つまり、静電容量変化を検出することにより、指が触れたことを検出し、スイッチＯＮ／ＯＦＦの役目を果たすタッチセンサーであってもよい。
【００５３】
ポップ８０に設けられた第１のボタン８１と第２のボタン８２は、図５に示すように、ポップ用リモートコントローラ９０と接続されている。ポップ用リモートコントローラ９０は、マイコン９１、電池９２、セラミック発信素子９３、赤外線ダイオード９４を有している。マイコン９１は、ポップ用リモートコントローラ９０全体を制御している。電池９２は、ポップ用リモートコントローラ９０全体に電力を供給している。セラミック発信素子９３は、マイコン９１と接続されており、音を発する。赤外線ダイオード９４は、マイコン９１と接続されており、マイコン９１から信号をデジタルテレビジョン放送受信装置１１に送出する。
【００５４】
次に、図７に示すフローチャートを用いて、第１のボタン８１または第２のボタン８２の押下に基づくデジタルテレビジョン放送受信装置１１におけるデモ映像の表示について説明する。
【００５５】
はじめに、消費者はポップ８０表示されている当該デジタルテレビジョン放送受信装置１１の機能説明から、視聴したいデモ映像に対応する第１のボタン８１または第２のボタン８２を押下する（ステップＳ１００）。
【００５６】
ポップ用リモートコントローラ９０のマイコン９１は、第１のボタン８１または第２のボタン８２の押下に基づいて、対応するデモ映像を表示する旨のデモ映像表示情報を赤外線ダイオード９４を介してデジタルテレビジョン放送受信装置１１に送出する（ステップＳ１０１）。
【００５７】
マイコン９１は、セラミック発信素子９３から効果音を出すように制御する。また、マイコン９１は、押下された第１のボタン８１または第２のボタン８２を発光する制御をする（ステップＳ１０２）。このような効果音および発光によって、第１のボタン８１または第２のボタン８２を押下した消費者およびポップ８０が設置されている周辺にいる他の消費者に対して、デモモードがデジタルテレビジョン放送受信装置１１で開始される旨を喚起することができる。セラミック発信素子９３は、単音でも良いし、デモモードが始まる旨の音声であっても良い。第１のボタン８１または第２のボタン８２を発光は、消費者にデモモードの開始および押下されたボタンが分かるように、点灯または点滅表示する。
【００５８】
次に、デジタルテレビジョン放送受信装置１１がデモ映像表示情報を受光部１８を介して受信すると、制御部５６の取得制御部５６ａは、デモ映像表示情報に対応するデモ映像情報をＡＶ−ＨＤＤ４１から取得する。ＡＶ−ＨＤＤ４１は、デジタルテレビジョン放送受信装置１１の外に接続されている場合であっても、内蔵されていても同様である。
【００５９】
表示制御部５６ｂは、チューナ４５、チューナ５０、アナログチューナ６８のいずれかで受信している通常の受信映像を表示している映像表示器１４に対して、デモ映像に切り替えて表示する（ステップＳ１０３）。
【００６０】
デモ映像は、例えば、所定の時間の映像であり、押下されたボタンに対応する機能を説明する音声および映像である。
【００６１】
デモ映像の表示が終了すると（ステップＳ１０４）、表示制御部５６ｂは、通常モードとしてチャンネルの放送信号が選局されている放送へ映像表示器１４に対する表示を切り替える（ステップＳ１０５）。
【００６２】
ここでは、取得制御部５６ａがＡＶ−ＨＤＤ４１からデモ映像情報を取得する場合について説明したが、取得制御部５６ａは、ポップ用リモートコントローラ９０から送出されるデモ映像表示情報に基づいて、ＨＤＭＩ−ＣＥＣリンク機能により、ＨＤＭＩ端子７０に接続されたＤＶＤレコーダ７１のＨＤＤに記録されたデモ映像情報を取得、または、ＤＶＤディスクに記録されたデモ映像情報を再生することで取得することもできる。
【００６３】
上記説明したように、表示制御部５６ｂがデジタルテレビジョン放送受信装置１１におけるデモ映像の表示切替をすることで、消費者の任意のタイミングでデモ映像を表示し、それ以外の場合は、通常の放送を映像表示器１４に表示することができる。つまり、デモ映像終了後に映像表示器１４には通常の放送が表示されることで、消費者は、デモ映像で流れた機能説明について、実際にリモートコントローラ１７を用いて実際に体験することができる。
【００６４】
例えば、デモ映像が、番組表などの文字を映像表示器１４にした場合に文字の表示が鮮明化、高画質化したことを示す内容であったとする。消費者は、リモートコントローラ１７の番組表記キー１７ｈを押下することで、映像表示器１４に実際に番組表を表示することができる。番組表は、番組表記キー１７ｈの押下に基づいて、制御部５６が通信Ｉ／Ｆ６５を介してネットワーク３２から取得、あるいは、予めネットワーク３２を介して取得され、ＲＡＭ５８または不揮発性メモリ５９に記録されている番組表データを取得することで映像表示器１４に表示される。
【００６５】
このように、映像表示器１４に繰り返し同じデモ映像が表示される場合と異なり、消費者の任意のタイミングで映像表示器１４にデモ映像が表示される。また、映像表示器１４にはデモ映像の終了後は通常の映像が表示されるため、消費者はデモ映像の終了を認識し、リモートコントローラ１７を使用して実際にデモ映像で流れた機能を試すことができることを認識できる。また、映像表示器１４が通常の映像に表示が切り替わることで、消費者に対して実際に操作できることを促すことにもなる。
【００６６】
また、本発明の実施形態によれば、デモ映像は、ＡＶ−ＨＤＤ４１または、外部機器としてＤＶＤレコーダ７１から取得されるため、店頭用のデジタルテレビジョン放送受信装置１１と消費者が購入する家庭用のデジタルテレビジョン放送受信装置１１とを区別して作成する必要もない。また、デジタルテレビジョン放送受信装置１１がＡＶ−ＨＤＤ４１を内蔵し、ＡＶ−ＨＤＤ４１の中にデモ映像情報が記録されている場合であっても、特定のカード等の挿入によってデモ映像を使用可能状態にするか否かを制御することで、店頭用と家庭用の区別をしてデジタルテレビジョン放送受信装置１１を作成する必要がなくなる。
【００６７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６８】
【図１】この発明が適用されたデジタルテレビジョン放送受信システムの概要を説明するために示した図である。
【図２】デジタルテレビジョン放送受信装置の概観を示す図である。
【図３】デジタルテレビジョン放送受信装置の内部をさらに具体的に示す構成説明図である。
【図４】デジタルテレビジョン放送受信装置に対して使用されるリモートコントローラの概略を説明するために示した説明図である。
【図５】この発明の実施形態に係るポップの外観を示す図である。
【図６】この発明の実施形態に係るポップ用リモートコントローラを示すブロック図である。
【図７】この発明の実施形態に係る映像表示器におけるデモ映像の表示を示すフローチャートである。
【符号の説明】
【００６９】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５６…取得制御部、５６ｂ…表示制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link（登録商標） Ｉ／Ｆ、６８…アナログチューナ、６９…アナログ復調器、７０…ＨＤＭＩ端子、７１…ＤＶＤレコーダ、７２…ＨＤＭＩ Ｉ／Ｆ、８０…ポップ（販売促進物）、８１…第１のボタン、８２…第２のボタン、９０…ポップ用リモートコントローラ、９１…マイコン、９２…電池、９３…セラミック発信素子、９４…赤外線ダイオード。
【図１】
2009224856.tif 000003
【図２】
2009224856.tif 000004
【図３】
2009224856.tif 000005
【図４】
2009224856.tif 000006
【図５】
2009224856.tif 000007
【図６】
2009224856.tif 000008
【図７】
2009224856.tif 000009